(57)【要約】      （修正有）【課題】快適な空調環境を提供することができる空調システム及び制御方法を提供する。【解決手段】複数の室内機７１〜７５を備えた空調システムであり、１つの対象空間ＲＭに対して空調環境を提供する。対象空間ＲＭは複数の温度設定可能空間Ｓ５，Ｓ１０，Ｓ１５，Ｓ２０，Ｓ２５を有しており、１以上の温度設定可能空間の設定温度が他の温度設定可能空間の設定温度と異なり、各室内機７１〜７５は、空間温度検知部と環境提供部と制御部とを有し、空間温度検知部は対象空間ＲＭにおける空気の温度を検知し、環境提供部は空調環境を提供し、制御部は空間温度検知部が検知した空間温度に基づいて環境提供部を制御し、室内機の制御部は、被影響度合いを考慮して空間温度に基き環境提供部を制御する空調システム１。【選択図】図１
2006226578.tif 000002
【特許請求の範囲】
【請求項１】
設定温度を決めることが可能な空間である複数の温度設定可能空間（Ｓ１，・・・）を有しており１以上の前記温度設定可能空間（Ｓ１，・・・）の設定温度が他の前記温度設定可能空間（Ｓ１，・・・）の設定温度と異なる１つの対象空間（ＲＭ）に対して、空調環境を提供する複数の室内機（７１，・・・）を備えた空調システム（１）であって、
各前記室内機（７１，・・・）は、
前記対象空間（ＲＭ）における空間温度を検知する空間温度検知部（７１ｇ，・・・）と、
空調環境を提供する環境提供部（７１ｅ，・・・）と、
前記空間温度検知部（７１ｇ，・・・）が検知した前記空間温度に基づいて、前記環境提供部（７１ｅ，・・・）を制御する制御部（７１ｊ，・・・）と、
を有し、
前記室内機（７１，・・・）の前記制御部（７１ｊ，・・・）は、前記複数の室内機（７１，・・・）における他の前記室内機（７１，・・・）から受ける影響の度合いである被影響度合いを考慮して、前記空間温度に基づいて、前記環境提供部（７１ｅ，・・・）を制御する、
空調システム（１）。
【請求項２】
各前記温度設定可能空間（Ｓ１，・・・）は、前記複数の室内機（７１，・・・）のうち２以上の前記室内機（７１，・・・）により空調環境が提供される、
請求項１に記載の空調システム（１）。
【請求項３】
前記被影響度合いに関する情報が入力される入力部（４１ｋ，・・・）をさらに備えた、
請求項１又は２に記載の空調システム（１）。
【請求項４】
各前記室内機（７１，・・・）を互いに接続するネットワーク（８０）をさらに備え、
各前記室内機（７１，・・・）は、
前記被影響度合いに関する情報を前記ネットワーク（８０）経由で他の前記室内機（７１，・・・）に送信する送信部（７１ｈ，・・・）と、
前記被影響度合いに関する情報を前記ネットワーク（８０）経由で他の前記室内機（７１，・・・）から受信する受信部（７１ｉ，・・・）と、
をさらに有する、
請求項１又は２に記載の空調システム（１）。
【請求項５】
前記室内機（７１，・・・）の前記制御部（７１ｊ，・・・）は、前記複数の室内機（７１，・・・）における他の前記室内機（７１，・・・）との距離、前記対象空間（ＲＭ）に設置された物に関する情報及び前記対象空間（ＲＭ）の形状の少なくとも１つに基づいて、前記被影響度合いを決める、
請求項１から４のいずれか１項に記載の空調システム（１）。
【請求項６】
前記室内機（７１，・・・）の前記制御部（７１ｊ，・・・）は、前記複数の室内機（７１，・・・）における他の前記室内機（７１，・・・）の能力、前記複数の室内機（７１，・・・）における他の前記室内機（７１，・・・）との距離、前記対象空間（ＲＭ）に設置された物に関する情報及び前記対象空間（ＲＭ）の形状の少なくとも１つに基づいて、前記被影響度合いの時間的な変化の割合である影響速度を決める、
請求項５に記載の空調システム（１）。
【請求項７】
前記空調環境は、前記室内機（７１，・・・）から吹き出される空気の温度、前記室内機（７１，・・・）から吹き出される空気の湿度、前記室内機（７１，・・・）から吹き出される空気の風量及び前記室内機（７１，・・・）から吹き出される空気の風向の少なくとも１つを含む、
請求項１から６のいずれか１項に記載の空調システム（１）。
【請求項８】
設定温度を決めることが可能な空間である複数の温度設定可能空間（Ｓ１，・・・）を有しており１以上の前記温度設定可能空間（Ｓ１，・・・）の設定温度が他の前記温度設定可能空間（Ｓ１，・・・）の設定温度と異なる１つの対象空間（ＲＭ）に対して、空調環境を提供する複数の室内機（７１，・・・）と、
前記複数の室内機（７１，・・・）をネットワーク（８０）経由で管理する管理装置（９０ａ）と、
を備え、
各前記室内機（７１，・・・）は、
前記対象空間（ＲＭ）における空間温度を検知する空間温度検知部（７１ｇ，・・・）と、
空調環境を提供する環境提供部（７１ｅ，・・・）と、
前記空間温度検知部（７１ｇ，・・・）が検知した前記空間温度に基づいて、前記環境提供部（７１ｅ，・・・）を制御する制御部（７１ｊ，・・・）と、
を有し、
前記管理装置（９０ａ）は、前記複数の室内機（７１，・・・）における各前記室内機（７１，・・・）が他の前記室内機（７１，・・・）から受ける影響の度合いである被影響度合いを考慮して、前記空間温度検知部（７１ｇ，・・・）が検知した前記空間温度に基づいて、前記環境提供部（７１ｅ，・・・）を前記ネットワーク（８０）経由で制御する、
空調システム（１ａ）。
【請求項９】
設定温度を決めることが可能な空間である複数の温度設定可能空間（Ｓ１，・・・）を有しており１以上の前記温度設定可能空間（Ｓ１，・・・）の設定温度が他の前記温度設定可能空間（Ｓ１，・・・）の設定温度と異なる１つの対象空間（ＲＭ）に対して、空調環境を提供する複数の室内機（７１，・・・）が制御される制御方法であって、
前記温度設定可能空間（Ｓ１，・・・）の温度である空間温度が各前記温度設定可能空間（Ｓ１，・・・）について検知される検知ステップと、
前記複数の室内機（７１，・・・）において１つの前記室内機（７１，・・・）が他の前記室内機（７１，・・・）から受ける影響の度合いである被影響度合いを各前記室内機（７１，・・・）について考慮して、各前記温度設定可能空間（Ｓ１，・・・）の前記空間温度に基づいて、各前記室内機（７１，・・・）の運転状態が制御される制御ステップと、
各前記室内機（７１，・・・）から前記対象空間（ＲＭ）に対して空調環境が提供される提供ステップと、
を備えた、
制御方法。
【発明の詳細な説明】
【技術分野】
【０００１】
本発明は、空調システム及び制御方法に関する。
【背景技術】
【０００２】
従来から、複数の室内機によって１つの対象空間に対して空調環境を提供するシステムが提案されている（例えば、特許文献１参照）。
【特許文献１】特開２０００−６５４１０（第１−６頁、第１−３図）
【発明の開示】
【発明が解決しようとする課題】
【０００３】
従来のシステムでは、対象空間の温度分布を均一にするように制御されている。しかし、実際には、対象空間において利用者が要求する設定温度が異なる複数の空間が存在することがある。ところが、従来のシステムでは、それぞれの室内機が協調することなく設定温度になるように制御されているので、異なる設定温度が要求されている２つの空間のうち少なくとも一方において設定温度が反映されないことになり、快適な空調環境を提供できないおそれがある。
【０００４】
また、従来のシステムでは、設定温度が要求されている空間に一番近い室内機によりその設定温度になるように運転が行われるが、設定温度が要求されている空間に一番近い室内機の周囲の室内機も運転されていることがあるため、その影響により、設定温度が要求されている空間の温度が設定温度に近くならないおそれがある。このため、快適な空調環境を提供できないおそれがある。
【０００５】
そこで、本発明の課題は、快適な空調環境を提供することができる空調システム及び制御方法を提供することにある。
【課題を解決するための手段】
【０００６】
第１発明に係る空調システムは、複数の室内機を備えた空調システムである。複数の室内機は、１つの対象空間に対して空調環境を提供する。対象空間は、複数の温度設定可能空間を有している。温度設定可能空間は、設定温度を決めることが可能な空間である。対象空間では、１以上の温度設定可能空間の設定温度が、他の温度設定可能空間の設定温度と異なる。各室内機は、空間温度検知部と環境提供部と制御部とを有する。空間温度検知部は、空間温度を検知する。空間温度は、対象空間における温度である。環境提供部は、空調環境を提供する。制御部は、空間温度検知部が検知した空間温度に基づいて、環境提供部を制御する。室内機の制御部は、被影響度合いを考慮して、空間温度に基づいて、環境提供部を制御する。被影響度合いは、複数の室内機における他の室内機から受ける影響の度合いである。
【０００７】
この空調システムでは、１つの対象空間において、１以上の温度設定可能空間の設定温度は、他の温度設定可能空間の設定温度と異なる。各室内機の空間温度検知部は、空間温度を検知する。各室内機の制御部は、空間温度の情報を受け取ることができる。各室内機の制御部は、被影響度合いを考慮して、空間温度検知部が検知した空間温度に基づいて、環境提供部を制御する。各室内機の環境提供部は、制御されるための情報を受け取ることができる。各室内機の環境提供部は、１つの対象空間に対して空調環境を提供する。
【０００８】
このように、被影響度合いを考慮して空間温度に基づいて制御部が環境提供部を制御するので、それぞれの温度設定可能空間に対して設定温度に近い空調環境を提供することができる。このため、快適な空調環境を提供することができる。
第２発明に係る空調システムは、第１発明の空調システムであって、各温度設定可能空間は、複数の室内機のうち２以上の室内機により空調環境が提供される。
【０００９】
この空調システムでは、各温度設定可能空間は、複数の室内機のうち２以上の室内機により空調環境が提供される。このため、各温度設定可能空間は、空調環境が提供される際に、１つの室内機により空調環境が提供される場合に比べて、熱交換するための面積が増やされ得る。
このように、各温度設定可能空間に空調環境が提供される際に熱交換するための面積が増やされ得るので、複数の室内機全体として熱交換の効率を向上することができる。このため、複数の室内機全体として消費されるエネルギー量を低減することができる。
【００１０】
第３発明に係る空調システムは、第１発明又は第２発明の空調システムであって、入力部をさらに備える。入力部には、被影響度合いに関する情報が入力される。
この空調システムでは、入力部に、被影響度合いに関する情報が入力される。各室内機の制御部は、入力部に入力された被影響度合いに関する情報を受け取ることができる。
このように、入力部に入力された被影響度合いに関する情報を室内機の制御部が受け取ることができるので、被影響度合いに関する情報を各室内機が互いに受け渡しできない場合でも、被影響度合いを静的に考慮して空間温度に基づいて環境提供部を制御することができる。
【００１１】
なお、入力部は、室内機が有していてもよいし、室内機の外部に備えられていてもよい。
第４発明に係る空調システムは、第１発明又は第２発明の空調システムであって、ネットワークをさらに備える。ネットワークは、各室内機を互いに接続する。各室内機は、送信部と受信部とをさらに有する。送信部は、被影響度合いに関する情報をネットワーク経由で他の室内機に送信する。受信部は、被影響度合いに関する情報をネットワーク経由で他の室内機から受信する。
【００１２】
この空調システムでは、各室内機の送信部は、被影響度合いに関する情報をネットワーク経由で他の室内機に送信する。各室内機の受信部は、被影響度合いに関する情報をネットワーク経由で他の室内機から受信する。各室内機の制御部は、受信部が受信した被影響度合いに関する情報を受け取ることができる。
このように、被影響度合いに関する情報を各室内機が互いに受け渡しすることができるので、各室内機において他の室内機からの被影響度合いが変化した場合でも、被影響度合いを動的に考慮して空間温度に基づいて環境提供部を制御することができる。
【００１３】
第５発明に係る空調システムは、第１発明から第４発明のいずれかの空調システムであって、室内機の制御部は、複数の室内機における他の前記室内機との距離、対象空間に設置された物に関する情報及び対象空間の形状の少なくとも１つに基づいて、被影響度合いを決める。
この空調システムでは、各室内機の制御部は、複数の室内機における他の室内機との距離に関する情報を受け取ることができる。各室内機の制御部は、複数の室内機における他の前記室内機との距離、対象空間に設置された物に関する情報及び対象空間の形状の少なくとも１つに基づいて、被影響度合いを決める。
【００１４】
このように、他の室内機との距離などに基づいて被影響度合いを決めるので、被影響度合いを正確に決めることができる。
第６発明に係る空調システムは、第５発明の空調システムであって、室内機の制御部は、複数の室内機における他の室内機の能力、複数の室内機における他の室内機との距離、対象空間に設置された物に関する情報及び対象空間の形状の少なくとも１つに基づいて、影響速度を決める。影響速度は、被影響度合いの時間的な変化の割合である。
【００１５】
この空調システムでは、各室内機の制御部は、複数の室内機における他の室内機の能力に関する情報を受け取ることができる。各室内機の制御部は、複数の室内機における他の室内機の能力、複数の室内機における他の室内機との距離、対象空間に設置された物に関する情報及び対象空間の形状の少なくとも１つに基づいて、影響速度を決める。
このように、他の室内機の能力などに基づいて制御部が影響速度を決めるので、影響速度もさらに考慮して空間温度に基づいて環境提供部を制御することができる。
【００１６】
第７発明に係る空調システムは、第１発明から第６発明のいずれかの空調システムであって、空調環境は、室内機から吹き出される空気の温度、室内機から吹き出される空気の湿度、室内機から吹き出される空気の風量及び室内機から吹き出される空気の風向の少なくとも１つを含む。
この空調システムでは、各室内機が提供する空調環境は、室内機から吹き出される空気の温度、室内機から吹き出される空気の湿度、室内機から吹き出される空気の風量及び室内機から吹き出される空気の風向の少なくとも１つを含む。
【００１７】
このように、室内機からそれぞれの温度設定可能空間に対して詳細な空調環境を提供することができる。
第８発明に係る空調システムは、複数の室内機と、管理装置とを備える。複数の室内機は、１つの対象空間に対して、空調環境を提供する。対象空間は、複数の温度設定可能空間を有している。温度設定可能空間は、設定温度を決めることが可能な空間である。対象空間では、１以上の温度設定可能空間の設定温度が他の温度設定可能空間の設定温度と異なる。管理装置は、複数の室内機をネットワーク経由で管理する。各室内機は、空間温度検知部と、環境提供部と、制御部とを有する。空間温度検知部は、空間温度を検知する。空間温度は、対象空間における温度である。環境提供部は、空調環境を提供する。制御部は、空間温度検知部が検知した空間温度に基づいて、環境提供部を制御する。管理装置は、被影響度合いを考慮して、空間温度検知部が検知した空間温度に基づいて、環境提供部をネットワーク経由で制御する。被影響度合いは、複数の室内機における各室内機が他の室内機から受ける影響の度合いである。
【００１８】
この空調システムでは、１つの対象空間において、１以上の温度設定可能空間の設定温度は、他の温度設定可能空間の設定温度と異なる。各室内機の空間温度検知部は、空間温度を検知する。管理装置は、空間温度の情報をネットワーク経由で各室内機から受信することができる。管理装置は、被影響度合いを考慮して、空間温度検知部が検知した空間温度に基づいて、環境提供部をネットワーク経由で制御する。すなわち、各室内機の環境提供部は、制御されるための情報を受け取ることができる。各室内機の環境提供部は、１つの対象空間に対して空調環境を提供する。
【００１９】
このように、被影響度合いを考慮して空間温度に基づいて管理装置が環境提供部を制御するので、それぞれの温度設定可能空間に対して設定温度に近い空調環境を提供することができる。このため、快適な空調環境を提供することができる。
第９発明に係る制御方法は、複数の室内機が制御される制御方法である。複数の室内機は、１つの対象空間に対して空調環境を提供する。対象空間は、複数の温度設定可能空間を有している。温度設定可能空間は、設定温度を決めることが可能な空間である。対象空間では、１以上の温度設定可能空間の設定温度が、他の温度設定可能空間の設定温度と異なる。制御方法は、検知ステップと制御ステップと提供ステップとを備える。検知ステップでは、空間温度が各温度設定可能空間について検知される。空間温度は、温度設定可能空間の温度である。制御ステップでは、被影響度合いを各室内機について考慮して、各温度設定可能空間の空間温度に基づいて、各室内機の運転状態が制御される。被影響度合いは、複数の室内機において１つの室内機が他の室内機から受ける影響の度合いである。提供ステップでは、各室内機から空調環境が提供される。
【００２０】
この制御方法では、１つの対象空間において、１以上の温度設定可能空間の設定温度は、他の温度設定可能空間の設定温度と異なる。検知ステップにおいて、空間温度は各温度設定可能空間について検知される。制御ステップにおいて、空間温度の情報は受け取られ得る。制御ステップにおいて、被影響度合いを各室内機について考慮して、各温度設定可能空間の空間温度に基づいて、各室内機の運転状態は制御される。これにより、提供ステップにおいて、１つの対象空間に対して各室内機から空調環境は提供される。
【００２１】
このように、被影響度合いを考慮して空間温度に基づいて各室内機の運転状態が制御されるので、それぞれの温度設定可能空間に対して設定温度に近い空調環境を提供することができる。このため、快適な空調環境を提供することができる。
【発明の効果】
【００２２】
第１発明に係る空調システムでは、被影響度合いを考慮して空間温度に基づいて制御部が環境提供部を制御するので、それぞれの温度設定可能空間に対して設定温度に近い空調環境を提供することができる。このため、快適な空調環境を提供することができる。
第２発明に係る空調システムでは、各温度設定可能空間に空調環境が提供される際に熱交換するための面積が増やされ得るので、複数の室内機全体として熱交換の効率を向上することができる。このため、複数の室内機全体として消費されるエネルギー量を低減することができる。
【００２３】
第３発明に係る空調システムでは、入力部に入力された被影響度合いに関する情報を室内機の制御部が受け取ることができるので、被影響度合いに関する情報を各室内機が互いに受け渡しできない場合でも、被影響度合いを静的に考慮して空間温度に基づいて環境提供部を制御することができる。
第４発明に係る空調システムでは、被影響度合いに関する情報を各室内機が互いに受け渡しすることができるので、各室内機において他の室内機からの被影響度合いが変化した場合でも、被影響度合いを動的に考慮して空間温度に基づいて環境提供部を制御することができる。
【００２４】
第５発明に係る空調システムでは、他の室内機との距離などに基づいて被影響度合いを決めるので、被影響度合いを正確に決めることができる。
第６発明に係る空調システムでは、他の室内機の能力などに基づいて制御部が影響速度を決めるので、影響速度もさらに考慮して空間温度に基づいて環境提供部を制御することができる。
【００２５】
第７発明に係る空調システムでは、室内機からそれぞれの温度設定可能空間に対して詳細な空調環境を提供することができる。
第８発明に係る空調システムでは、被影響度合いを考慮して空間温度に基づいて管理装置が環境提供部をネットワーク経由で制御するので、それぞれの温度設定可能空間に対して設定温度に近い空調環境を提供することができる。このため、快適な空調環境を提供することができる。
【００２６】
第９発明に係る制御方法では、被影響度合いを考慮して空間温度に基づいて各室内機の運転状態が制御されるので、それぞれの温度設定可能空間に対して設定温度に近い空調環境を提供することができる。このため、快適な空調環境を提供することができる。
【発明を実施するための最良の形態】
【００２７】
本発明の実施形態に係る空調システム１の概念図を図１に示す。図１に示す空調システム１は、主として、１つの対象空間ＲＭに対して空調環境を提供する複数の室内機７１〜７５（図５参照）を備えたシステムである。
１つの対象空間ＲＭは、複数の温度設定可能空間Ｓ１〜Ｓ２５（図４参照）を有している。１つの対象空間ＲＭでは、１以上の温度設定可能空間Ｓ１〜Ｓ２５の設定温度が、他の温度設定可能空間Ｓ１〜Ｓ２５の設定温度と異なる。
【００２８】
（空調システム１の全体構成）
図１に示す空調システム１は、主として、室外機群６０（６１，６２，・・・），室内機群７０（７１，７２，・・・），ネットワーク８０及びリモコン群４０（４１，・・・）（図３参照）を備える。室外機群６０（６１，６２，・・・）と室内機群７０（７１，７２，・・・）とは、ネットワーク８０で接続されている。
【００２９】
（室内機群７０（７１，７２，・・・）の構成）
図１に示す室内機７１の断面図を図２に示し、構成図を図３に示す。
室内機７１は、天井埋設型である。室内機７１は、図２に示すように、天井に埋設されるケーシング７１２ｅと、ケーシング７１２ｅの下面に固定される化粧パネルとを備えている。
【００３０】
ケーシング７１２ｅは、その内部に各構成部品を格納するための部材であり、略矩形形状の外形を有している。化粧パネルには、下面中央に設けられた吸い込み口７１１ｅと、その外周側に設けられた４つの吹き出し口７１ａ，７１ｂ，７１ｃ，７１ｄ（図５参照）とが形成されている。吸い込み口７１１ｅには、空間温度センサ７１ｇが配置されている。また、ケーシング７１２ｅ内には、遠心送風機７１３ｅ、熱交換器７１４ｅなどが収容されている。さらに、各吹き出し口７１ａ，７１ｂ，７１ｃ，７１ｄ（図５参照）には、吹き出し空気の方向を変えるための垂直フラップ７１７ｅおよび水平フラップ（図示せず）が配置されている。
【００３１】
室内機７１は、図３に示すように、主として、送信部７１ｈ，受信部７１ｉ，制御部７１ｊ，環境提供部７１ｅ，空間温度検知部７１ｇ，記憶部７１ｍ及び受発光器５１を備える。ここで、環境提供部７１ｅは、ケーシング７１２ｅ（図２参照），吸い込み口７１１ｅ，吹き出し口７１ａ，７１ｂ，７１ｃ，７１ｄ（図５参照），遠心送風機７１３ｅ，熱交換器７１４ｅ，垂直フラップ７１７ｅおよび水平フラップ（図示せず）などに相当する。空間温度検知部７１ｇは、空間温度センサ７１ｇ（図２参照）などに相当する。記憶部７１ｍには、被影響度合いに関する情報（図８参照）が記憶される。ここで、被影響度合いは、複数の室内機７１〜７５における他の室内機７２，７３，・・・から受ける影響の度合いである。受発光器５１は、他の受発光器５２，・・・と光を送受信できるように、室内機７１のケーシング７１２ｅの化粧パネルよりも低い位置に配置されている。
【００３２】
他の室内機７２，・・・も、室内機７１と同様である。
（室内機群７０（７１，７２，・・・）の動作）
受信部７１ｉは、設定温度の情報をネットワーク８０経由でリモコン４１から受信する。制御部７１ｊは、設定温度の情報を受信部７１ｉから受け取る。
空間温度検知部７１ｇは、空間温度を検知する。空間温度は、対象空間ＲＭにおける（空気の）温度である。制御部７１ｊは、空間温度の情報を空間温度検知部７１ｇから受け取る。
【００３３】
受発光器５１は、他の受発光器５２，・・・と光を送受信して、他の室内機７２，・・・との距離を検出する。制御部７１ｊは、他の室内機７２，・・・との距離の情報を受発光器５１から受け取る。制御部７１ｊは、他の室内機７２，・・・との距離に基づいて、他の室内機７２，７３，・・・の室内機７１からの被影響度合いを決める。制御部７１ｊは、他の室内機７２，７３，・・・の被影響度合いの情報を、他の室内機７２，７３，・・・の被影響度合いに関する情報として、送信部７１ｈへ渡す。送信部７１ｈは、他の室内機７２，７３，・・・の被影響度合いに関する情報を、ネットワーク８０経由で他の室内機７２，７３，・・・へ送信する。
【００３４】
受信部７１ｉは、室内機７１の被影響度合いに関する情報を、ネットワーク８０経由で他の室内機７２，７３，・・・から受信する。制御部７１ｊは、室内機７１の被影響度合いに関する情報を受信部７１ｉから受け取り、記憶部７１ｍに記憶させる。
制御部７１ｊは、記憶部７１ｍを参照して、被影響度合いに関する情報（図８参照）を取得する。制御部７１ｊは、室内機７１の被影響度合いを考慮して、空間温度と設定温度とに基づいて、環境提供部７１ｅを制御する。具体的には、遠心送風機７１３ｅの回転数、垂直フラップ７１７ｅおよび水平フラップ（図示せず）の向き及び熱交換器７１４ｅの温度などが制御される。
【００３５】
環境提供部７１ｅは、複数の温度設定可能空間Ｓ３〜Ｓ５，Ｓ８〜Ｓ１０，Ｓ１３〜Ｓ１５に対して、空調環境を提供する。具体的には、室内機７１は、室内機７１，・・・から吹き出される空気の温度、室内機７１，・・・から吹き出される空気の湿度、室内機７１，・・・から吹き出される空気の風量及び室内機７１，・・・から吹き出される空気の風向などが制御された空調環境を提供する。すなわち、遠心送風機７１３ｅを所定の回転数で回転させると、吸い込み口７１１ｅから室内の空気が吸い込まれる。吸い込まれた空気は、遠心送風機７１３ｅの外周側に吹き出される。遠心送風機７１３ｅの外周側に吹き出された空気は、その外周側に配置された熱交換器７１４ｅによって熱交換され、４つの吹き出し口７１ａ，７１ｂ，７１ｃ，７１ｄ（図５参照）から主として温度設定可能空間Ｓ３〜Ｓ５，Ｓ８〜Ｓ１０，Ｓ１３〜Ｓ１５に吹き出される。
【００３６】
他の室内機７２，・・・も、室内機７１と同様である。
（リモコン群４０（４１，・・・）の構成）
リモコン４１は、対象空間ＲＭ（図１参照）において利用者が入力可能な場所に設置される。リモコン４１は、図３に示すように、主として、送信部４１ｈ，制御部４１ｊ及び入力部４１ｋを備える。
【００３７】
他のリモコン４２，・・・も、リモコン４１と同様である。
（リモコン群４０（４１，・・・）の動作）
入力部４１ｋには、温度設定可能空間Ｓ１，Ｓ２，・・・の設定温度が入力される。ここで、１以上の温度設定可能空間Ｓ１〜Ｓ２５の設定温度は、他の温度設定可能空間Ｓ１〜Ｓ２５の設定温度と異なるように、入力部４１ｋに入力される。制御部４１ｊは、その設定温度の情報を入力部４１ｋから受け取り送信部４１ｈへ渡す。送信部４１ｈは、設定温度の情報をネットワーク８０経由で室内機７１〜７５へ送信する。
【００３８】
他のリモコン４２，・・・も、リモコン４１と同様である。
（被影響度合いに関する情報の構成）
記憶部７１ｍに記憶されている被影響度合いに関する情報の構成を、図８を参照して説明する。図８では、室内機７１の被影響度合いに関する情報が示されている。
被影響度合いに関する情報は、主として、室内機欄７１５ｍと被影響度合い欄７１６ｍとを備える。室内機欄７１５ｍには、室内機７１〜７５を識別するための情報が記憶されている。影響度合い欄７１６ｍには、室内機７１〜７５から受ける影響の度合いが記憶されている。
【００３９】
被影響度合いに関する情報を参照することにより、室内機７１がどの室内機７２，・・・からどの程度の影響を受けるのかが分かる。例えば、室内機７２からＥ２の割合で影響を受けることが分かる。
他の記憶部７２ｍ，・・・に記憶されている被影響度合いに関する情報は、記憶部７１ｍに記憶されている被影響度合いに関する情報と同様である。
【００４０】
（対象空間ＲＭの中に配置される受光器及び発光器について）
対象空間ＲＭの中に配置されている受光器及び発光器について説明する。
図４に示すように、対象空間ＲＭは、２５等分された温度設定可能空間Ｓ１〜Ｓ２５に分けられている。このような対象空間ＲＭの天井には、５台の室内機７１〜７５が、図５に示す平面配置で取り付けられている。室内機７１は、温度設定可能空間Ｓ４，Ｓ５，Ｓ９，Ｓ１０にまたがるように平面配置されている。室内機７２は、温度設定可能空間Ｓ１９，Ｓ２０，Ｓ２４，Ｓ２５にまたがるように平面配置されている。室内機７３は、温度設定可能空間Ｓ１，Ｓ２，Ｓ６，Ｓ７にまたがるように平面配置されている。室内機７４は、温度設定可能空間Ｓ１６，Ｓ１７，Ｓ２１，Ｓ２２にまたがるように平面配置されている。室内機７５は、温度設定可能空間Ｓ１３の真上に配置されている。
【００４１】
また、５台の室内機７１〜７５は、それぞれ、図１および図５に示すように、その下面中央から吊り下がる受発光器５１〜５５を有している。これらの受発光器５１〜５５は、他の受発光器５１〜５５からの光を受けることができるように、室内機７１のケーシング７１２ｅの化粧パネルよりも低い位置に配置されている。
受発光器５１〜５５は、室内機７１〜７５の間の空間的な距離を特定するための機器であり、他の各受発光器５１〜５５に対して発光する。例えば、図６の１点鎖線で示すように、受発光器５１は他の各受発光器５２〜５５に対して発光を行うことになる。
【００４２】
（各室内機７１，７２，・・・の間の空間的な距離が特定される際の動作）
空調システム１では、各室内機７１，７２，・・・の間の空間的な距離が特定される。
制御部７１ｊは、複数の受発光器５１〜５５による受光情報から、他の室内機７２，・・・との距離を検出する。この距離検出は、３角法を利用して行われる。ここで検出された室内機７１と他の室内機７２，・・・との距離の情報は、他の室内機７２，７３，・・・の室内機７１からの被影響度合いを決める際に利用される。
【００４３】
（空調システム１が室内機７１，・・・を制御する処理の流れ）
空調システム１が室内機７１，・・・を制御する処理の流れを、図７に示すフローチャートを用いて説明する。
ステップＳ１では、設定温度が入力される。すなわち、リモコン４１，・・・の入力部４１ｋ，・・・には、温度設定可能空間Ｓ１，Ｓ２，・・・の設定温度が入力される。ここで、１以上の温度設定可能空間Ｓ１〜Ｓ２５の設定温度は、他の温度設定可能空間Ｓ１〜Ｓ２５の設定温度と異なるように、入力部４１ｋに入力される。その設定温度の情報は、制御部４１ｊ，・・・により、入力部４１ｋ，・・・から受け取られ送信部４１ｈ，・・・へ渡される。その設定温度の情報は、送信部４１ｈ，・・・によりネットワーク８０経由で室内機７１〜７５へ送信される。そして、その設定温度の情報は、室内機７１，・・・の受信部７１ｉ，・・・により、ネットワーク８０経由でリモコン４１，・・・から受信され、制御部７１ｊ，・・・へ渡される。
【００４４】
ステップＳ２では、空間温度が検知される。すなわち、空間温度検知部７１ｇ，・・・により、空間温度が検知される。空間温度は、対象空間ＲＭにおける（空気の）温度である。空間温度の情報は、制御部７１ｊにより、空間温度検知部７１ｇから受け取られる。
ステップＳ３では、被影響度合いが決められる。すなわち、室内機７１，・・・の受発光器５１により、他の受発光器５２，・・・と光が送受信されて、他の室内機７２，・・・との距離が検出される。他の室内機７２，・・・との距離の情報は、制御部７１ｊにより受発光器５１から受け取られる。他の室内機７２，７３，・・・の室内機７１からの被影響度合いは、制御部７１ｊにより、他の室内機７２，・・・との距離に基づいて決められる。
【００４５】
ステップＳ４では、被影響度合いに関する情報が送受信される。他の室内機７２，７３，・・・の被影響度合いの情報は、制御部７１ｊにより、他の室内機７２，７３，・・・の被影響度合いに関する情報として、送信部７１ｈへ渡される。他の室内機７２，７３，・・・の被影響度合いに関する情報は、送信部７１ｈにより、ネットワーク８０経由で他の室内機７２，７３，・・・へ送信される。
【００４６】
室内機７１の被影響度合いに関する情報は、室内機７１，・・・の受信部７１ｉにより、ネットワーク８０経由で他の室内機７２，７３，・・・から受信される。室内機７１の被影響度合いに関する情報は、制御部７１ｊにより、受信部７１ｉから受け取られ、記憶部７１ｍに記憶される。
ステップＳ５では、空調環境が提供される。すなわち、室内機７１，・・・制御部７１ｊにより、記憶部７１ｍが参照されて、被影響度合いに関する情報（図８参照）は取得される。制御部７１ｊにより、室内機７１の被影響度合いを考慮して、空間温度と設定温度とに基づいて、環境提供部７１ｅは制御される。その結果、環境提供部７１ｅにより、複数の温度設定可能空間Ｓ３〜Ｓ５，Ｓ８〜Ｓ１０，Ｓ１３〜Ｓ１５に対して、空調環境は提供される。
【００４７】
（空調システム１に関する特徴）
（１）
ここでは、１つの対象空間ＲＭにおいて、１以上の温度設定可能空間Ｓ１〜Ｓ２５の設定温度は、他の温度設定可能空間Ｓ１〜Ｓ２５の設定温度と異なる。各室内機７１，・・・の空間温度検知部７１ｇ，・・・は、空間温度を検知する。各室内機７１，・・・の制御部７１ｊ，・・・は、空間温度の情報を空間温度検知部７１ｇ，・・・から受け取る。各室内機７１，・・・の制御部７１ｊ，・・・は、被影響度合いを考慮して、空間温度と設定温度とに基づいて、環境提供部７１ｅ，・・・を制御する。その結果、各室内機７１，・・・の環境提供部７１ｅ，・・・は、１つの対象空間ＲＭに対して空調環境を提供する。
【００４８】
このように、被影響度合いを考慮して空間温度と設定温度とに基づいて制御部７１ｊ，・・・が環境提供部７１ｅ，・・・を制御するので、それぞれの温度設定可能空間Ｓ１〜Ｓ２５は、設定温度に近い空調環境がされる。このため、快適な空調環境が提供される。
（２）
ここでは、各温度設定可能空間Ｓ１〜Ｓ２５は、複数の室内機７１，・・・のうち２以上の室内機７１，・・・により空調環境が提供される。このため、各温度設定可能空間Ｓ１〜Ｓ２５は、空調環境が提供される際に、１つの室内機７１，・・・により空調環境が提供される場合に比べて、熱交換するための面積が増やされる。
【００４９】
このように、各温度設定可能空間Ｓ１〜Ｓ２５に空調環境が提供される際に熱交換するための面積が増やされるので、複数の室内機７１，・・・全体として熱交換の効率は向上する。このため、複数の室内機７１，・・・全体として消費されるエネルギー量は低減する。
（３）
ここでは、各室内機７１，・・・の送信部７１ｈ，・・・は、他の室内機７１，・・・の被影響度合いに関する情報をネットワーク８０経由で他の室内機７１，・・・に送信する。各室内機７１，・・・の受信部７１ｉ，・・・は、室内機７１，・・・の被影響度合いに関する情報をネットワーク８０経由で他の室内機７１，・・・から受信する。各室内機７１，・・・の制御部７１ｊ，・・・は、室内機７１，・・・の被影響度合いに関する情報を受信部７１ｉ，・・・から受け取る。
【００５０】
このように、被影響度合いに関する情報を各室内機７１，・・・が互いに受け渡しするので、各室内機７１，・・・において他の室内機７１，・・・からの被影響度合いが変化した場合でも、被影響度合いを動的に考慮して空間温度と設定温度とに基づいて環境提供部７１ｅ，・・・は制御される。
（４）
ここでは、各室内機７１，・・・の制御部７１ｊ，・・・は、複数の室内機７１，・・・における他の室内機７１，・・・との距離に関する情報を受発光部５１，・・・から受け取る。各室内機７１，・・・の制御部７１ｊ，・・・は、複数の室内機７１，・・・における他の室内機７１，・・・との距離に基づいて、被影響度合いを決める。
【００５１】
このように、他の室内機７１，・・・との距離に基づいて被影響度合いを決めるので、被影響度合いは正確に決定される。
（５）
ここでは、各室内機７１，・・・が提供する空調環境は、室内機７１，・・・から吹き出される空気の温度、室内機７１，・・・から吹き出される空気の湿度、室内機７１，・・・から吹き出される空気の風量及び室内機７１，・・・から吹き出される空気の風向を含む。
【００５２】
このように、室内機７１，・・・からそれぞれの温度設定可能空間Ｓ１〜Ｓ２５に対して詳細な空調環境が提供される。
（本発明の実施形態の変形例）
（Ａ）リモコン４１，・・・の入力部４１ｋ，・・・には、室内機７１，・・・の被影響度合いに関する情報がさらに入力されてもよい。この場合、各室内機７１，・・・の制御部７１ｊ，・・・は、制御部４１ｊ，・・・と送信部４１ｈ，・・・と受信部７１ｉ，・・・とを経由して、室内機７１，・・・被影響度合いに関する情報を入力部４１ｋ，・・・から受け取る。
【００５３】
このように、入力部４１ｋ，・・・に入力された被影響度合いに関する情報を室内機７１，・・・の制御部７１ｊ，・・・が受け取るので、室内機７１，・・・の被影響度合いに関する情報を各室内機７１，・・・が互いに受け渡しできない場合でも、被影響度合いを静的に考慮して空間温度と設定温度とに基づいて環境提供部７１ｅ，・・・は制御される。
【００５４】
また、リモコン４１，・・・の入力部４１ｋ，・・・には、制御部７１ｊ，・・・が被影響度合いを考慮して環境提供部７１ｅ，・・・を制御する第１モードと、制御部７１ｊ，・・・が被影響度合いを考慮せずに環境提供部７１ｅ，・・・を制御する第２モードとが、選択入力可能になっていてもよい。この場合、被影響度合いを考慮して環境提供部７１ｅ，・・・が制御されることが利用者の意志に基づいて行われる。
【００５５】
なお、室内機７１，・・・がさらに入力部（図示せず）を有しており、室内機７１，・・・の被影響度合いに関する情報は、リモコン４１，・・・の入力部４１ｋ，・・・に入力される代わりに、室内機７１，・・・の入力部に入力されてもよい。
（Ｂ）室内機７１，・・・の制御部７１ｊ，・・・は、複数の室内機７１，・・・における他の室内機７１，・・・の能力に基づいて、影響速度をさらに決めてもよい。ここで、影響速度は、被影響度合いの時間的な変化の割合である。すなわち、他の室内機７１，・・・の能力に関する情報は、リモコン４１，・・・とネットワーク８０とを介して入力される。あるいは、他の室内機７１，・・・の能力に関する情報は、他の室内機７１，・・・からネットワーク８０経由で受信される。これにより、各室内機７１，・・・の制御部７１ｊ，・・・は、複数の室内機７１，・・・における他の室内機７１，・・・の能力に関する情報を受け取る。室内機７１，・・・の制御部７１ｊ，・・・は、複数の室内機７１，・・・における他の室内機７１，・・・の能力に基づいて、影響速度を決める。
【００５６】
このように、他の室内機７１，・・・の能力に基づいて制御部７１ｊ，・・・が影響速度を決めるので、影響速度もさらに考慮して空間温度と設定温度とに基づいて環境提供部７１ｅ，・・・は制御される。
（Ｃ）環境提供部７１ｅ，・・・が提供する空調環境は、室内機７１，・・・から吹き出される空気の温度、室内機７１，・・・から吹き出される空気の湿度、室内機７１，・・・から吹き出される空気の風量及び室内機７１，・・・から吹き出される空気の風向の少なくとも１つであってもよい。
【００５７】
例えば、室内機７１，・・・の制御部７１ｊ，・・・は、室内機７１〜７５から吹き出される空気の流れを制御する気流制御を行ってもよい。この気流制御は、遠心送風機７１３ｅ，・・・の回転数を変更して吹き出し口から吹き出す空気の速度を制御する風速制御と、図２に示す垂直フラップ７１７ｅおよび水平フラップ（図示せず）を作動させて吹き出し空気の方向を変える風向制御とを含んでいる。
【００５８】
この場合、制御部７１ｊ，・・・は、室内機７１の被影響度合いを考慮して、空間温度と設定温度とに基づいて、風速制御と風向制御とを組み合わせ、対象空間ＲＭに対して空調環境を提供する。例えば、制御部７１ｊ，・・・が冷房運転を行わせている場合であって、温度設定可能空間Ｓ５の設定温度が低く、温度設定可能空間Ｓ２０の設定温度がそれほど低くない場合を考える。図９に示すように、温度設定可能空間Ｓ５の斜め上方の室内機７１は、温度設定可能空間Ｓ５に直接吹き出し空気が当たるように、吹き出し口７１ｃ（図５参照）から下向きの空気流Ｗ２，Ｗ３を多くして斜め下方向きの空気流Ｗ１，Ｗ４を少なくする。また、温度設定可能空間Ｓ２０の斜め上方の室内機７２は、吹き出し口７２ｃ（図５参照）から温度設定可能空間Ｓ５に向く斜め下向きの空気流Ｗ５を多く生成する。室内機７２からの空気流Ｗ５は、室内機７１からの空気流Ｗ３を温度設定可能空間Ｓ５側へと導く役割も果たしている。一方、温度設定可能空間Ｓ２０に空気流が直接当たらないように、温度設定可能空間Ｓ２０の斜め上方の室内機７２は、吹き出し口７２ｃ（図５参照）から下向きの空気流Ｗ６，Ｗ７を少なくし、斜め下方向きの空気流Ｗ５，Ｗ８を多くするように制御されている。また、室内機７１の吹き出し口７１ｂ，７１ｄ（図５参照）や室内機７２の吹き出し口７２ｂ，７２ｄから吹き出される空気についても、垂直フラップを作動させての左右の吹き出し方向の制御によって、温度設定可能空間Ｓ５や温度設定可能空間Ｓ２０に空調環境を提供している。
【００５９】
なお、比較的シンプルな風速制御および風向制御について説明を行ったが、２つの室内機から吹き出された空気を所定の温度設定可能空間Ｓ１，・・・の上部で衝突させてダウンフローを発生させたり、所定の温度設定可能空間Ｓ１，・・・の上部に１つの室内機から比較的冷たい空気を送るとともに、その温度設定可能空間Ｓ１，・・・の下部に別の室内機から比較的暖かい空気を送ったりすることも考えられる。すなわち、空調空気の温度も加味して気流制御を行ってもよい。気流制御は、風速制御と風向制御との一方のみによって行われてもよい。
【００６０】
また、室内機７１〜７５から吹き出される空気の流れを制御することにより各エリアにおいて快適な空調環境を実現しているが、各室内機が角度の変わる輻射パネルあるいは複数の輻射パネルを備えている場合には、輻射パネルの角度や各輻射パネルの個別制御などによって各エリアにおける快適な空調環境の提供を行わせることも考えられる。また、各エリアに共通の室内機が複数のペルチェ素子から成るパネルを備えている場合にも、各エリアに対して個別に空調環境を提供することが可能である。
【００６１】
以上のような制御を行うことにより、例えば、室内機７１付近の温度設定可能空間Ｓ４，Ｓ５，Ｓ９，Ｓ１０の設定温度が全て異なるような場合でも、各温度設定可能空間Ｓ４，Ｓ５，Ｓ９，Ｓ１０に対して設定温度に近い空調環境を提供することが可能である。他の室内機７２，・・・についても室内機７１と同様である。
（Ｄ）空間温度検知部７１ｇ，・・・は、室内機７１，・・・に備えられている代わりに、部屋ＲＭの壁面などに設置されていてもよい。
【００６２】
また、空間温度検知部７１ｇ，・・・が空間温度を検知することにより、各温度設定可能空間Ｓ１，・・・の温度である空間温度が検知されてもよい。例えば、室内機７１の空間温度が温度設定可能空間Ｓ３〜Ｓ５，Ｓ８〜Ｓ１０の空間温度とされ、室内機７２の空間温度が温度設定可能空間Ｓ１４，Ｓ１５，Ｓ１９，Ｓ２０，Ｓ２４，Ｓ２５の空間温度とされ、室内機７３の空間温度が温度設定可能空間Ｓ１，Ｓ２，Ｓ６，Ｓ７，Ｓ１１，Ｓ１２の空間温度とされ、室内機７４の空間温度が温度設定可能空間Ｓ１６〜Ｓ１８，Ｓ２１〜Ｓ２３の空間温度とされ、室内機７５の空間温度が温度設定可能空間Ｓ１３の空間温度とされてもよい。
【００６３】
この場合、室内機７１，・・・の制御部は、被影響度合いを考慮して、各温度設定可能空間Ｓ１，・・・の空間温度と設定温度とに基づいて、各室内機７１，・・・の運転状態を制御することになる。
（Ｅ）室内機７１，・・・の制御部７１ｊ，・・・は、対象空間ＲＭに設置された物に関する情報に基づいて、被影響度合いを決めてもよい。対象空間ＲＭに設置された物には、例えばパーティションなど、対象空間ＲＭの空調環境に影響を与えるものが含まれる。また、室内機７１，・・・の制御部７１ｊ，・・・は、対象空間ＲＭの形状に基づいて、被影響度合いを決めてもよい。これらの場合でも、被影響度合いは正確に決定される。
【００６４】
あるいは、室内機７１，・・・の制御部７１ｊ，・・・は、複数の室内機７１，・・・における他の室内機７１，・・・との距離、対象空間ＲＭに設置された物に関する情報及び対象空間ＲＭの形状の少なくとも２つ以上に基づいて、被影響度合いを決めてもよい。この場合、被影響度合いはさらに正確に決定される。
（Ｆ）図１０に示すように、空調システム１ａは、管理装置９０ａをさらに備えていてもよい。このとき、管理装置９０ａは、設定温度や空間温度の情報を各室内機７１，・・・からネットワーク８０経由で受信する。また、管理装置９０ａは、１つの室内機７１，・・・と他の室内機７２，・・・との距離の情報を受発光器５１，・・・からネットワーク８０経由で受信する。そして、管理装置９０ａは、１つの室内機７１，・・・と他の室内機７２，・・・との距離に基づいて、他の室内機７２，７３，・・・の室内機７１からの被影響度合いを決める。管理装置９０ａは、室内機７１の被影響度合いを考慮して、空間温度と設定温度とに基づいて、環境提供部７１ｅをネットワーク８０経由で制御する。具体的には、管理装置９０ａは、各室内機７１，・・・に設定させるために温度である指令温度の情報を、ネットワーク８０経由で各室内機７１，・・・へ送信する。各室内機７１，・・・の受信部７１ｉ，・・・は、指令温度の情報をネットワーク８０経由で受信して制御部７１ｊ，・・・へ渡す。制御部７１ｊ，・・・は、指令温度の情報に基づいて、環境提供部７１ｅ，・・・を制御する。
【００６５】
このように、被影響度合いを考慮して空間温度と設定温度とに基づいて管理装置９０ａが環境提供部７１ｅ，・・・をネットワーク８０経由で制御するので、それぞれの温度設定可能空間Ｓ１〜Ｓ２５は、設定温度に近い空調環境がされる。このため、快適な空調環境が提供される。
【産業上の利用可能性】
【００６６】
本発明に係る空調システム及び制御方法は、快適な空調環境を提供することができるという効果を有し、空調システム及び制御方法等として有用である。
【図面の簡単な説明】
【００６７】
【図１】本発明の実施形態に係る空調システムの概念図。
【図２】本発明の実施形態に係る室内機の断面図。
【図３】本発明の実施形態に係る室内機の構成図。
【図４】本発明の実施形態に係る温度設定可能空間の配置図。
【図５】本発明の実施形態に係る室内機の配置図。
【図６】受発光器の動作を説明する図。
【図７】空調システムが室内機を制御する処理の流れを示すフローチャート。
【図８】被影響度合いに関する情報の構成を示す概念図。
【図９】気流制御を説明する図。
【図１０】本発明の実施形態の変形例に係る空調システムの概念図。
【符号の説明】
【００６８】
１，１ａ  空調システム
４０  リモコン群
６０  室外機群
７０  室内機群
８０  ネットワーク
９０ａ  管理装置
ＲＭ  対象空間
Ｓ１〜Ｓ２５  温度設定可能空間
【図１】
2006226578.tif 000003
【図２】
2006226578.tif 000004
【図３】
2006226578.tif 000005
【図４】
2006226578.tif 000006
【図５】
2006226578.tif 000007
【図６】
2006226578.tif 000008
【図７】
2006226578.tif 000009
【図８】
2006226578.tif 000010
【図９】
2006226578.tif 000011
【図１０】
2006226578.tif 000012